【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
無線ＬＡＮおよび移動体通信システム間の相互接続をサポートする方法であって、前記移動体通信システムは、無線アクセス・ネットワークをコア・ネットワークに結合するための第１のサポート・ノードおよび前記移動体通信システムを第２の通信システムに結合するための第２のサポート・ノードを有し、
前記無線ＬＡＮと前記移動体通信手段システムとに結合した相互接続機能（ＩＷＦ）を提供するステップと、
データ信号を転送するために相互接続機能および前記第２のサポート・ノード間に少なくとも一つのトンネリング・プロトコル−ユーザ・プレーン・トンネルを確立するステップと、
制御信号を転送するために前記第１のサポート・ノードおよび前記第２のサポート・ノード間に少なくとも一つのトンネリング・プロトコル−コントロール・プレーン・トンネルを確立するステップと、
を有する前記方法。
【請求項２】
前記移動体通信ネットワークは、ＵＭＴＳネットワーク、サービングＧＰＲＳサポート・ノード（ＳＧＳＮ）を含む前記第１のサポート・ノード、ゲートウェイＧＰＲＳサポート・ノード（ＧＧＳＮ）を含む第２のサポート・ノード、ＧＰＲＳトンネリング・プロトコル−ユーザ・プレーン（ＧＴＰ−Ｕ）トンネルを含むトンネリング・プロトコル−ユーザ・プレーン・トンネル、およびＧＰＲＳトンネリング・プロトコル−コントロール・プレーン（ＧＴＰ−Ｃ）トンネルを含む前記トンネリング・プロトコル−コントロール・プレーン・トンネルを含む、請求項１記載の方法。
【請求項３】
前記相互接続機能（ＩＷＦ）は、データ信号について論理的サービングＧＰＲＳサポート・ノード（ＳＧＳＮ）として構成される、請求項２記載の方法。
【請求項４】
少なくとも一つのＧＰＲＳトンネリング・プロトコル−ユーザ・プレーン（ＧＴＰ−Ｕ）トンネルを確立する前記ステップは、少なくとも１つのＧＧＳＮおよび相互接続機能（ＩＷＦ）における少なくとも一つのパケット・データ・プロトコル（ＰＤＰ）コンテキストのためのＧＰＲＳトンネリング・プロトコル−ユーザ・プレーン（ＧＴＰ−Ｕ）のＧＴＰトンネルを定めるステップを含む、請求項２記載の方法。
【請求項５】
少なくとも一つのＧＰＲＳトンネリング・プロトコル−コントロール・プレーン（ＧＴＰ−Ｃ）トンネルを確立する前記ステップは、少なくとも一つの無線アクセス・ベアラー（ＲＡＢ）のためのＧＰＲＳトンネリング・プロトコル−コントロール・プレーン（ＧＴＰ−Ｃ）のＧＴＰトンネルを定めるステップを含む、請求項２記載の方法。
【請求項６】
少なくとも一つのＧＰＲＳトンネリング・プロトコル−コントロール・プレーン（ＧＴＰ−Ｃ）トンネルを確立する前記ステップは、トンネル管理メッセージのための同じパケット・データ・プロトコル（ＰＤＰ）アドレスおよびアクセス・ポイント名（ＡＰＮ）を有する少なくとも一つのパケット・データ・プロトコル（ＰＤＰ）コンテキストのためのＧＰＲＳトンネリング・プロトコル−コントロール・プレーン（ＧＴＰ−Ｃ）のＧＴＰトンネルを定めるステップを含む、請求項２記載の方法。
【請求項７】
前記ＧＰＲＳトンネリング・プロトコル−コントロール・プレーン（ＧＴＰ−Ｃ）は、ＧＰＲＳ移動体通信管理機能を有する、請求項２記載の方法。
【請求項８】
ゲートウェイＧＰＲＳサポート・ノード（ＧＧＳＮ）からなる一点のアタッチメントを介して無線ＬＡＮおよび移動体通信手段システムの両方へのアクセスを提供するステップを更に含む、請求項２記載の方法。
【請求項９】
前記コア・ネットワーク（ＣＮ）は、ゲートウェイＧＰＲＳサポート・ノード（ＧＧＳＮ）およびサービングＧＰＲＳサポート・ノード（ＳＧＳＮ）を含み、ＧＧＳＮおよび相互接続機能（ＩＷＦ）間で少なくとも一つのＧＰＲＳトンネリング・プロトコル−ユーザ・プレーン（ＧＴＰ−Ｕ）トンネルを介してユーザ機器（ＵＥ）にデータを転換しながら、ＵＥおよびＣＮ間の接続を維持するステップを更に含む、請求項２記載の方法。
【請求項１０】
移動体通信ネットワークは、無線ネットワーク・コントローラ（ＲＮＣ）を含み、相互接続機能（ＩＷＦ）は相互接続の無線ＬＡＮ側に配置され、および少なくとも一つのＧＴＰ−Ｕトンネルを確立するステップは、ＲＮＣおよび移動体通信ネットワークのサービングＧＰＲＳサポート・ノード（ＳＧＳＮ）を迂回しながら、無線ＬＡＮの相互接続機能（ＩＷＦ）を移動体通信ネットワークのゲートウェイＧＰＲＳサポート・ノード（ＧＧＳＮ）に結合する、請求項２記載の方法。
【請求項１１】
移動体通信ネットワークによりユーザ機器（ＵＥ）を認証するステップと、および
前記認証ステップの結果をＧＧＳＮを介して相互接続機能（ＩＷＦ）に通信するステップと、
の各ステップを更に含む、請求項２記載の方法。
【請求項１２】
移動体通信ネットワークにより異なる経路指定領域（ＲＡ）として無線ＬＡＮサービス・エリアを登録するステップと、および
パケット・データ・プロトコル（ＰＤＰ）要求の一つの変更パケット・データ・プロトコル（ＰＤＰ）要求がユーザ機器（ＵＥ）から受信された場合に、少なくとも一つのＧＴＰ−Ｕトンネルを確立する前記ステップのために相互接続機能（ＩＷＦ）アドレスおよびトンネル終点識別子（ＴＥＩＤ）を特定するステップと、
を更に含む、請求項２記載の方法。
【請求項１３】
ユーザ機器（ＵＥ）移動体通信を取り扱うために外部エージェント（ＦＡ）としてＧＧＳＮを使用するステップと、および
少なくとも一つのＧＴＰ−Ｕトンネルを確立するためにサービングＧＰＲＳサポート・ノード（ＳＧＳＮ）に知らせるステップと、
を更に含む、請求項２記載の方法。
【請求項１４】
ユーザの無線ＬＡＮへの接続のために移動体通信ネットワークにより使用された暗号化を用いるステップを更に含む、請求項２記載の方法。
【請求項１５】
無線ＬＡＮおよび移動体通信システム間の相互接続をサポートする装置であって、移動体通信システムは無線アクセス・ネットワークをコア・ネットワークに結合するための第１のサポート・ノードおよび移動体通信システムを第２の通信システムに結合するための第２のサポート・ノードを有し、相互接続は相互接続機能（ＩＷＦ）により容易にされており、
データ信号を転送するために相互接続機能（ＩＷＦ）および第２のサポート・ノード間に少なくとも一つのトンネリング・プロトコル−ユーザ・プレーン・トンネルを確立する手段、および
制御信号を転送するために第１のサポート・ノードおよび第２のサポート・ノード間に少なくとも一つのトンネリング・プロトコル−コントロール・プレーン・トンネルを確立する手段、
を有することを特徴とする装置。
【請求項１６】
前記第１のサポート・ノードはサービングＧＰＲＳサポート・ノード（ＳＧＳＮ）を含み、前記第２のサポート・ノードはゲートウェイＧＰＲＳサポート・ノード（ＧＧＳＮ）を含み、トンネリング・プロトコル−ユーザ・プレーン・トンネルはＧＰＲＳトンネリング・プロトコル−ユーザ・プレーン（ＧＴＰ−Ｕ）トンネルを含み、およびトンネリング・プロトコル−コントロール・プレーン・トンネルはＧＰＲＳトンネリング・プロトコル−コントロール・プレーン（ＧＴＰ−Ｃ）トンネルを含む、請求項１５記載の装置。
【請求項１７】
前記相互接続機能（ＩＷＦ）は、データ信号について論理的サービングＧＰＲＳサポート・ノード（ＳＧＳＮ）として構成される、請求項１６記載の装置。
【請求項１８】
少なくとも一つのＧＴＰ−Ｕトンネルを確立する前記手段は、少なくとも１つのＧＧＳＮおよび相互接続機能（ＩＷＦ）における少なくとも一つのパケット・データ・プロトコル（ＰＤＰ）コンテキストのためのＧＰＲＳトンネリング・プロトコル−ユーザ・プレーン（ＧＴＰ−Ｕ）のＧＴＰトンネルを定める手段を含む、請求項１６記載の装置。
【請求項１９】
少なくとも一つのＧＴＰ−Ｃトンネルを確立する前記手段は、少なくとも一つの無線アクセス・ベアラー（ＲＡＢ）のためのＧＰＲＳトンネリング・プロトコル−コントロール・プレーン（ＧＴＰ−Ｃ）のＧＴＰトンネルを定める手段を含む、請求項１６記載の装置。
【請求項２０】
少なくとも一つのＧＴＰ−Ｃトンネルを確立する前記手段は、トンネル管理メッセージのための同じパケット・データ・プロトコル（ＰＤＰ）アドレスおよびアクセス・ポイント名（ＡＰＮ）を有する少なくとも一つのパケット・データ・プロトコル（ＰＤＰ）コンテキストのためのＧＰＲＳトンネリング・プロトコル−コントロール・プレーン（ＧＴＰ−Ｃ）のＧＴＰトンネルを定める手段を含む、請求項１６記載の装置。
【請求項２１】
前記ＧＰＲＳトンネリング・プロトコル−コントロール・プレーン（ＧＴＰ−Ｃ）は、ＧＰＲＳ移動体通信管理機能を有する、請求項１６記載の装置。
【請求項２２】
ＧＧＳＮからなる一点のアタッチメントを介して無線ＬＡＮおよび移動体通信手段システムの両方へのアクセスを提供する手段を更に含む、請求項１６記載の装置。
【請求項２３】
無線ＬＡＮのアクセス・ポイントに接続要求を転送する手段と、
前記無線ＬＡＮの前記アクセス・ポイントから接続要求を受信する手段と、
無線ＬＡＮの通信エリアを新たなルーティング・エリアとして登録する手段と、
前記移動体端末とゲートウェイＧＰＲＳサポート・ノード（ＧＧＳＮ）との間のデータ通信を確立する手段と、
前記移動体端末とゲートウェイＧＰＲＳサポート・ノード（ＧＧＳＮ）との間の信号通信をユニバ−サル移動体通信システム（ＵＭＴＳ）地上無線アクセス・ネットワークおよびサービングＧＰＲＳサポート・ノード（ＳＧＳＮ）を介して確立する手段とを含む、移動体端末。
【請求項２４】
前記無線ＬＡＮの通信エリアを新たなルーティング・エリアとして登録する手段が前記サービングＧＰＲＳサポート・ノード（ＳＧＳＮ）にパケット・データ・プロトコル・コンテキスト要求を転送する手段からなる、請求項２３に記載の移動体端末。
【請求項２５】
前記無線ＬＡＮの通信エリアを新たなルーティング・エリアとして登録する手段が前記サービングＧＰＲＳサポート・ノード（ＳＧＳＮ）に修正パケット・データ・プロトコル（ＰＤＰ）・コンテキスト要求を転送する手段からなる、請求項２３に記載の移動体端末。
【請求項２６】
前記無線ＬＡＮの通信エリアを新たなルーティング・エリアとして登録する手段が前記サービングＧＰＲＳサポート・ノード（ＳＧＳＮ）からパケット・データ・プロトコル・コンテキスト受理応答を受信する手段からなる請求項２４に記載の移動体端末。
【請求項２７】
前記無線ＬＡＮの通信エリアを新たなルーティング・エリアとして登録する手段がさらに前記サービングＧＰＲＳサポート・ノード（ＳＧＳＮ）から修正パケット・データ・プロトコル・コンテキスト受理応答を受信する手段からなる請求項２５に記載の移動体端末。
【手続補正２】
【補正対象書類名】明細書
【補正対象項目名】発明の名称
【補正方法】変更
【補正の内容】
【発明の名称】無線ＬＡＮおよび移動体通信システム間の相互接続をサポートする方法および装置
【手続補正３】
【補正対象書類名】明細書
【補正対象項目名】００３０
【補正方法】変更
【補正の内容】
【００３０】
トンネル終点識別子（ＴＥＩＤ）のデータＩ領域は、Ｇ−ＰＤＵのためのダウンリンクＴＥＩＤを特定し、サービングＧＰＲＳサポート・ノード（ＳＧＳＮ）１３５により選択される。ゲートウェイＧＰＲＳサポート・ノード（ＧＧＳＮ）１４０は、このＴＥＩＤを、要求されたＰＤＰコンテキストに関連する全ての次のダウンリンクＧ−ＰＤＵのＧＴＰヘッダに含んでいる。無線ＬＡＮインタフェースの上のＧＰＲＳトンネリング・プロトコル−ユーザ・プレーン（ＧＴＰ−Ｕ）を確立するために、ＧＧＳＮ１４０および相互接続機能（ＩＷＦ）１０５間にトンネルがあるように、このトンネル終点識別子（ＴＥＩＤ）は選択される。このＴＥＩＤは、ステップ３０２の「接続応答」時にＩＷＦ１０５からＵＥ１２０に、およびステップ３０５の「ＰＤＰ要求」時にＵＥ１２０からＳＧＳＮ１３５に、それぞれ送られる。ＳＧＳＮ１３５は、ステップ３０６でＰＤＰコンテキスト要求メッセージの一部として、ＧＧＳＮ１４０にＴＥＩＤを転送する。
【手続補正４】
【補正対象書類名】明細書
【補正対象項目名】００３３
【補正方法】変更
【補正の内容】
【００３３】
本発明の数多くある効果のうちの幾つかについて以下に説明する。係る効果の一つは、第３世代（３Ｇ）ネットワーク（例えば、ユニバーサル移動体通信システム）の大部分の手順が再利用されるということである。上記の第１のＵＥ移動体通信アプローチにおいては、移動体通信手順もまた再利用されてもよい。複雑なコントロール・プレーンがＵＭＴＳシステムを再利用すると共に、ＷＬＡＮゲートウェイを単純に保つ際の３Ｇのネットワーク手順支援の再利用はそれとしてユーザ・プレーンを運ぶことを必要とするだけである。複雑なコントロール・プレーンがＵＭＴＳシステムを再利用するのに対し、ユーザ・プレーンを搬送するだけで十分なので、３Ｇネットワーク手順の再利用は、ＷＬＡＮゲートウェイをシンプルに保つのを助ける。ＰＳサービスのために、データ・プレーンは、大多数の無線リソースに対応する。それにより、ユーザ機器（ＵＥ）がコア・ネットワーク（ＣＮ）との接続を保持しながら、ホットスポットの無線ＬＡＮにデータ部を転換することにより、他のユーザおよび他のサービスのために使用される相当高価なＵＭＴＳ無線リソースが保存される。